(57)【要約】【課題】  様々な用途に利用でき、長寿命で十分な照度を得ることができる照明灯具を提供する。【解決手段】  照明灯具１００は、複数の面実装ダイオード１及び面実装ダイオード１を駆動する駆動回路２を実装した基板１０と、基板１０の熱を放熱する放熱絶縁シート１１と、を収納した筐体２０から構成される。駆動回路２は人体に感知されない点滅周期で面実装ダイオード１を発光させ、光を透過・拡散させる部材で形成されたカバー２１を介して面実装ダイオード１から放射される光を照明光として用いる。基板１０は、フレキシブル基板や複数の基板を連結した基板であり、所定の形を形成する。【選択図】  図１
2006059663.tif 000002
【特許請求の範囲】
【請求項１】
基板と、
前記基板の実装面に配置された照明光を出射する複数の面実装ダイオードと、
前記基板と前記面実装ダイオードとを収納し、前記基板の実装面に対向する面に光を透過・拡散する材質で構成されたカバーを備える筐体と、
を有し、駆動回路により前記面実装ダイオードを人体に感知されない点滅周期で発光させることを特徴とする照明灯具。
【請求項２】
前記筐体を２つ以上有し、
前記筐体同士が向かい合う態様でヒンジ部を介して開閉自在に構成された請求項１に記載の照明灯具。
【請求項３】
前記基板が所定の形に形成されたフレキシブル基板であることを特徴とする請求項１に記載の照明灯具。
【請求項４】
前記基板を複数有し、
前記複数の基板を互いに連結して所定の形に形成することを特徴とする請求項１に記載の照明灯具。
【請求項５】
前記基板は、放熱手段を有することを特徴とする請求項１〜４のいずれか一項に記載の照明灯具。
【発明の詳細な説明】
【技術分野】
【０００１】
本発明は、発光ダイオードを用いた照明灯具に関するものである。
【背景技術】
【０００２】
従来の照明灯具は、電球や蛍光灯によるものが一般的である。そして、近年では、特許文献１や特許文献２に記載されるように、車両用灯具や携帯用端末等の液晶ディスプレイとして発光ダイオードを用いた照明灯具も開発されている。
【０００３】
【特許文献１】特開２００４−１２７６８９号公報
【特許文献２】特開２００１−３１８７８２号公報
【発明の開示】
【発明が解決しようとする課題】
【０００４】
しかしながら、従来の電球や蛍光灯による照明灯具は、寿命が短く、小型化、携帯化が難しいという問題がある。また、従来の電球や蛍光灯による照明灯具は予め決められた形で形成されており、特定の用途（懐中電灯、室内電灯、ランタン等）に限定されてしまうという問題もある。
【０００５】
一方、従来の発光ダイオードを用いた照明灯具は、寿命が長く、小型化、携帯化が可能だが、特許文献１や特許文献２の車両用灯具や携帯用端末等の液晶ディスプレイのように、照度をあまり要求されない用途に用いられることが多く、十分な照度を得ることが難しいという問題がある。また、従来の発光ダイオードを用いた照明灯具は、発光ダイオードの発熱に関する問題もある。
【０００６】
そこで、本発明は、様々な用途に利用でき、長寿命で十分な照度を得ることができる照明灯具を提供するものである。
【課題を解決するための手段及び効果】
【０００７】
本発明に係る照明灯具は、基板と、前記基板の実装面に配置された照明光を出射する複数の面実装ダイオードと、前記基板と前記面実装ダイオードとを収納し、前記基板の実装面に対向する面に光を透過・拡散する材質で構成されたカバーを備える筐体と、を有し、駆動回路により前記面実装ダイオードを人体に感知されない点滅周期で発光させることを特徴とする。
【０００８】
これによると、基板に配置された複数の面実装ダイオードを、基板の実装面に対向する面が光を透過、拡散する材質で構成されたカバーを有する筐体に収納して、照明灯具として用いていることから、小型化、携帯化が可能であるとともに、寿命が長く、十分な照度を得ることができる。
【０００９】
また、本発明に係る照明灯具は、前記筐体を２つ以上有し、前記筐体同士が向かい合う態様でヒンジ部を介して開閉自在に構成されて良い。
【００１０】
これによると、照明灯具を開閉可能な折り畳み式の形に形成していることから、携帯が可能な薄型の照明灯具として使用することができる。
【００１１】
また、本発明に係る照明灯具は、前記基板が所定の形に形成されたフレキシブル基板であって良い。
【００１２】
これによると、基板が所定の形に形成されたフレキシブル基板であることから、照明灯具の形を自由に形成することができ、特定用途以外の用途に用いることができる。
【００１３】
また、本発明に係る照明灯具は、前記基板を複数有し、前記複数の基板を互いに連結して所定の形に形成されて良い。
【００１４】
これによると、複数の基板を互いに連結して（例えば、すだれ状）所定の形に形成していることから、照明灯具の形を自由に形成することができ、特定用途以外の用途に用いることができる。
【００１５】
更に、本発明に係る照明灯具は、前記基板が、放熱手段を有しても良い。
【００１６】
これによると、基板が放熱手段（例えば、放熱絶縁シート）を有していることから、複数の面実装ダイオードの駆動による照明灯具の発熱を抑えることができる。
【発明を実施するための最良の形態】
【００１７】
以下、図面を参照しつつ、本発明である照明灯具を実施するための最良の形態について、具体的な一例に即して説明する。尚、以下で説明する実施形態に係る照明灯具に用いられる面実装ダイオードは、駆動回路により人体に感知されない間隔でオンオフを繰り返すように制御される。
【００１８】
まず、第一の実施形態に係る照明灯具を図１〜図３に基づいて以下に説明する。図１は、第一の実施形態に係る照明灯具の概略断面図である。図２は、フレキシブル基板を用いた場合の基板の概略図である。図３は、複数の基板を連結した場合の基板の概略図である。
【００１９】
図１に示すように、照明灯具１００は、複数の面実装ダイオード１及び面実装ダイオード１を駆動する駆動回路２を実装した基板１０と、放熱絶縁シート１１と、を収納した筐体２０から構成される。照明灯具１００は、使用目的（用途）に応じて、壁や天井、道路に設けられる薄型固定式照明灯具、広告塔や案内灯のような薄型移動式照明灯具および懐中電灯のような携帯式照明灯具の形態のもの等に適用することができる。
【００２０】
面実装ダイオード１は、基板１０に縦横のマトリックス状に配置される。面実装ダイオード１は、使用目的（用途）に応じた所定の照度が確保される程度の数が配置される。面実装ダイオード１は、例えば、白色発光ダイオードが考えられる。白色発光ダイオードは、例えば、青色発光ダイオードの表面にＹＡＧ系の蛍光体を塗布して形成されており、青色光の一部が蛍光体層を透過し、残りが蛍光体に衝突して黄色光となったときの混合色（白色）を出射するように構成されている。尚、本実施形態においては、白色発光ダイオードを用いて説明しているが、これに限定されるものではなく、照明光として好適な混合色を出射する全ての種類の発光ダイオードを適用することができる。また、面実装ダイオード１の配置形態は、マトリックス状である必要はなく、使用目的（用途）に応じて適宜変更されても良い。即ち、例えば、環状や棒状の蛍光灯のように、円環状や直線状に配置されていても良い。
【００２１】
基板１０は、プリント基板であり、面実装ダイオード１及び駆動回路２を実装面に配置する。尚、基板１０は、円状や円環状のものなど、使用目的（用途）に応じて、また、面実装ダイオード１の配置形態にあわせて、適宜変更されても良い。ここで、面実装ダイオード１を配置する基板１０はプリント基板に限らず、図２に示すようなフレキシブル基板１０であっても良い。フレキシブル基板１０は、折り曲げが可能な柔軟性を持った基板のことで、例えば、ポリイミドを使ったポリイミドフィルムなどを絶縁板の代わりに用いた基板である。この場合、基板１０は、使用目的（用途）に応じて自由に形を形成することができる。即ち、フレキシブル基板１０は図２のような形態に限らず、フラット形、波形に曲げて形成してもよい。更に、基板を平面的に形成する必要もなく、ランタン形状や電球形状のように立体的に形勢しても良い。従って、従来から使用されている既存の蛍光灯や電球に置き換えても違和感なく使用することができる。
【００２２】
また、図３に示すように複数のプリント基板１０をすだれ状に互いに連結して構成してもよい。即ち、図１では、１枚の基板に全数の面実装ダイオードを配置することにより、予め照度を特定した固定式照明灯具としている。一方、図３では、単数や複数等の所定数の面実装ダイオードを配置した単位基板を増設可能としており、単位基板を増減することによって、部屋の大きさや要求照度に応じた数量の面実装ダイオードを備えた固定式照明灯具とすることができる。
【００２３】
駆動回路２は、例えば、基板１０の面実装ダイオード１が配置されている実装面に配置される。尚、駆動回路２は、基板１０の実装面に配置されているがそれに限らず、適宜変更可能である。駆動回路２は、面実装ダイオード１を駆動する回路であり、面実装ダイオード１を点灯・消灯を制御して、面実装ダイオード１を人体に感知されない点滅周期で発光させる。即ち、駆動回路２は、商用電源などの交流電源あるいは電池などの直流電源からの電力を高速でスイッチングさせて、面実装ダイオード１の駆動電力として供給する。駆動回路２は、図示しない交流電源または直流電源に接続され、図示しない交流電源または直流電源からの電力を面実装ダイオード１に供給するように構成される。尚、駆動回路２への電力の供給は、図示しない電源スイッチ等により制御するように構成しても良い。
【００２４】
放熱絶縁シート１１は、基板１０の面実装ダイオード１及び駆動回路２が配置されている面の裏側の面に接触するように一体的に配置する。そして、面実装ダイオード１の駆動により生じる熱を放熱する。放熱絶縁シート１１は、例えば、放熱性を向上させるために特殊フィラーを配合した絶縁性のよいシリコーンゴム等で構成される。また、基板１０の放熱手段は、放熱絶縁シート１１に限らず、基板に膜として塗布する放熱性が高い塗料（ＳｉＣ等）、放熱性が高い材料により形成した基板自体（放熱基板）、基板に備えるヒートシンクやファンであっても良い。
【００２５】
筐体２０は、複数の面実装ダイオード１及び駆動回路２を実装した基板１０と、放熱絶縁シート１１と、を収納する。筐体２０は、使用目的（用途）に応じた材質で形成することができるが、プリント基板１０の面実装ダイオード１を実装した実装面と向かい合う面は、面実装ダイオード１から放射される光を透過するとともに拡散させるような部材（ポリカーボネート等）で形成されたカバー２１として構成される。尚、筐体２０は、矩形状や円状や円環状のものなど、使用目的（用途）に応じて、また、面実装ダイオード１の配置形態やプリント基板１０にあわせて、適宜変更されても良い。
【００２６】
次に、第二の実施形態に係る照明灯具を図４に基づいて以下に説明する。図４は、第二の実施形態に係る照明灯具を示す概略図である。尚、第一の発明の実施形態に係る照明灯具１００と同一の部位については同一の符号を付し、その説明を省略する。
【００２７】
図４に示すように、照明灯具２００は、その使用目的を、携帯可能な開閉自在薄型のブック形照明灯具とし、複数の面実装ダイオード１及び面実装ダイオード１を駆動する駆動回路２を実装した基板１０と、放熱絶縁シート１１と、を収納した筐体２０と同様の構成である２つの筐体２２、２３から構成される。２つの筐体２２、２３は、面実装ダイオード１を実装した面（即ち、筐体２２、２３のそれぞれのカバー２１）同士が向かい合うような態様で、ヒンジ部２４を介して開閉自在に構成することにより、ブック形になるように構成される。
【００２８】
また、照明灯具２００は、筐体２３の側面に交流電源に接続する電源コード２ａを備えるように構成され、交流電源からの電力を筐体２２、２３がそれぞれ有する駆動回路２を介して面実装ダイオード１に供給する。ここで、ヒンジ部２４は、電源コード２ａからの電力を筐体２２が有する駆動回路２に供給することができるように、内部が配線可能なように構成される。尚、図２では、電源コード２ａが筐体２３の側面に構成されているがそれに限らず、適宜変更可能である。また、駆動回路２は筐体２２、２３にそれぞれ収納された基板１０上に設けられているが、それに限らない。即ち、１つの駆動回路２を筐体２２、２３のいずれか一方に収納された基板１０上に設け、それぞれの基板上に実装された面実装ダイオード１を駆動するようにしてもよい。
【００２９】
このように、第一の実施形態に係る照明灯具１００及び第二の実施形態に係る照明灯具２００によると、基板１０に配置された複数の面実装ダイオード１を、基板１０の実装面に対向する面が光を透過、拡散する材質で構成されたカバー２１を有する筐体２０に収納して、照明灯具として用いている。従って、小型化、携帯化が可能であるとともに、寿命が長く、十分な照度を得ることができる。
【００３０】
また、第一の実施形態に係る照明灯具１００及び第二の実施形態に係る照明灯具２００によると、放熱絶縁シート１１がプリント基板１０の面実装ダイオード１及び駆動回路２が配置されている実装面の裏側の面に接触するように一体的に配置されている。従って、複数の面実装ダイオード１の駆動による照明灯具の発熱を抑えることができる。
【００３１】
更に、第二の実施形態に係る照明灯具２００によると、照明灯具２００を、ヒンジ部２４を介して筐体２２と筐体２３とが開閉可能なブック形に形成している。従って、携帯が可能な薄型の照明灯具として使用することができる。
【００３２】
以上、本発明は、上記の好ましい実施形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。また、具体例は、本発明の構成を例示したものであり、本発明を限定するものではない。
【００３３】
例えば、本発明の照明灯具は、使用目的（用途）に応じて様々な形態が考えられる。例えば、図５に示すように、本の形に形成されたブックカバー３０１のいずれか一端（図５では左端）に第一の実施形態に係る照明灯具１００と同様の照明灯具３００を設置することにより、ブックカバー３０１にセットされた本３０２に照明光を照射して暗い場所における読書を可能とする照明灯具であっても良い。
【００３４】
また、例えば、図６に示すように、第二の実施形態に係る照明灯具２００はヒンジ２４部を介して２つの筐体２２、２３を開閉自在に連結しているが、連結する筐体の数は２つに限らない。即ち、図６に示すように、それぞれヒンジ部を介して複数の筐体２５〜２８を開閉自在に連結した照明灯具４００であっても良い。
【図面の簡単な説明】
【００３５】
【図１】第一の実施形態に係る照明灯具の概略断面図である。
【図２】フレキシブル基板を用いた場合の基板の概略図である。
【図３】複数の基板を連結した場合の基板の概略図である。
【図４】第二の実施形態に係る照明灯具を示す概略図である。
【図５】他の実施形態に係る照明灯具を示す概略図である。
【図６】他の実施形態に係る照明灯具を示す概略図である。
【符号の説明】
【００３６】
１      面実装ダイオード
２      駆動回路
１０    基板
１１    放熱絶縁シート
２０    筐体
２１    カバー
２２    筐体
２３    筐体
２４    ヒンジ部
１００  照明灯具
２００  照明灯具
３００  照明灯具
４００  照明灯具
【図１】
2006059663.tif 000003
【図２】
2006059663.tif 000004
【図３】
2006059663.tif 000005
【図４】
2006059663.tif 000006
【図５】
2006059663.tif 000007
【図６】
2006059663.tif 000008